(57)【要約】  【課題】学童が雨に備えていつでも手ぶらで雨傘を携行することができるようにすると共に、手放しで雨傘を差し掛けられるようにしたランドセル用雨傘収納袋を提供する。  【解決手段】ランドセルの側面に取り付け取り外し可能に固定する袋固定具２０と、雨傘４０の軸をランドセルの縦方向に立てた状態で固定する傘軸ホルダー３０と、折り畳んだ雨傘を収納する収納部１０と、収納部を開閉できる蓋を備えるランドセル用雨傘収納袋。【選択図】図１
2018068387.tif 000002
【特許請求の範囲】
【請求項１】
開閉できる蓋と折り畳んだ雨傘を収納する収納部を設けた収納袋と、該収納袋をランドセルの側面に取り付け取り外し可能に固定する袋固定具と、雨傘の軸をランドセルの縦方向に立てた状態で固定する傘軸ホルダーとを備えた、ランドセル用雨傘収納袋。
【請求項２】
前記袋固定具は、前記収納袋をランドセルの縦方向に支持すると共に、前記傘軸ホルダーを縦方向に固定する機能を有することを特徴とする、請求項１記載のランドセル用雨傘収納袋。
【請求項３】
前記袋固定具は、前記収納袋の内面に垂直方向に展設される板材と、該板材の上端に前記収納袋の外側に下に向けて形成された舌部であってランドセルの側壁の上縁または側壁部に設けられる側帯に掛ける舌部と、前記板材の下端部に設けられた係止具であって前記収納袋の下端部をランドセルの底面の突起を使って固定する係止具とを備えた、請求項２記載のランドセル用雨傘収納袋。
【請求項４】
前記傘軸ホルダーは、前記収納袋の内面または前記袋固定具に縦方向に固定された筒体で、縦に半割りされて開閉し、傘軸を挟み締め込んで固定することを特徴とする請求項１から３のいずれか１項に記載のランドセル用雨傘収納袋。
【請求項５】
さらに、上下反転できて上向きと下向きのいずれでも固定できる回転軸を設けて、該回転軸に前記傘軸ホルダーを回動可能に取り付けることを特徴とする請求項１から３のいずれか１項に記載のランドセル用雨傘収納袋。
【発明の詳細な説明】
【技術分野】
【０００１】
本発明は、ランドセルに取り付けて、雨傘を収納すると共に、手放しで傘差しができるようにしたランドセル用雨傘収納袋に関する。
【背景技術】
【０００２】
学童は、ランドセルを背負った上に手に沢山の物を持って通学することが多い。
さらに、雨天には雨傘も持たなくてはならない。また、登校時には晴れていたのに下校時に雨が降るようなこともある。したがって、雨の心配がある時には、傘を持って登校することになる。さらに、突然の雨もあるので、いつでも傘を携行していることが望ましい。
しかし、雨傘を持つときには、少なくとも一方の手がふさがるので、持てる荷物が減ったり、転倒や衝突などの事態に対処しにくくなったりする不都合がある。
【０００３】
特許文献１に提示されたように、ランドセルに、傘を収納する袋を付けることが考えられる。これによって、雨傘を携行しても手がふさがらない便利があるが、雨に降るときには開いた傘を手で差さなければならないので、手がふさがることになる。
【０００４】
特許文献２には、背負う鞄に開いた傘を固定して、手放しで傘を差せるようにした工夫が開示されている。開示された発明は、背負う鞄の背中の部分または側面に傘の握り部分を固定する治具を設けて、開いた傘の柄をこの治具に固定するものである。鞄には傘を固定する治具や芯軸を通す穴が設けられることになる。
【０００５】
また、特許文献３には、ランドセルの背中に当たる部分に縦方向に円筒を仕込んで、ここに折り畳んだ状態の傘を収納すると共に、雨天の時には展開した傘を固定するようにした発明が開示されている。
引用文献２と３の発明は、ランドセル自体を改造するもので、コストが増大するおそれがある。
【先行技術文献】
【特許文献】
【０００６】
【特許文献１】実開平０６−０７０６１８号公報
【特許文献２】特開２００７−３３０７５４号公報
【特許文献３】特開平０７−２５６７０３号公報
【発明の概要】
【発明が解決しようとする課題】
【０００７】
本発明が解決しようとする課題は、学童が雨に備えていつでも手ぶらで雨傘を携行することができるようにすると共に、手放しで雨傘を差し掛けられるようにしたランドセル用雨傘収納袋を提供することである。
【課題を解決するための手段】
【０００８】
上記課題を解決するため、本発明のランドセル用雨傘収納袋は、収納袋をランドセルの側面に取り付け取り外し可能に固定する袋固定具と、雨傘の軸をランドセルの縦方向に立てた状態で固定する傘軸ホルダーと、折り畳んだ雨傘を収納する収納部と、収納部を開閉できる蓋を備えることを特徴とする。
【０００９】
袋固定具は、収納袋をランドセルの縦方向に支持すると共に、傘軸ホルダーを縦方向に固定する機能を有することが好ましい。
袋固定具は、また、袋の内面を垂直方向に展設される板材と、板材の上端に袋の外側に下に向けて形成された舌部であって、ランドセルの側壁の上縁、または側壁部に設けられる側帯に掛ける舌部と、板材の下端部に設けられた係止具であって袋の下端部をランドセルの底面の突起を使って固定する係止具とを備えてもよい。
【００１０】
傘軸ホルダーは、袋内面または袋固定具に縦方向に固定された筒体で、縦に半割りされて開閉し、傘軸を挟み締め込んで固定するものであってよい。
収納する雨傘は、一般の折り畳み傘であってよい。傘軸ホルダーで固定するときに柄の部分が適合しないときは、傘軸から柄を取り外して使うことができる。
折り畳み傘は、展開する前に傘軸ホルダーに固定する方が楽だが、展開した傘を固定してもよい。展開した傘は、ランドセル上方に広がって、ランドセルとランドセルを背負った学童が濡れないように守ることができる。
【００１１】
なお、上下反転できて上向きと下向きのいずれでも固定できる回転軸を設けて、この回転軸に雨傘の傘軸を把持する傘軸ホルダーを回動可能に取り付けてもよい。傘軸ホルダーで把持した雨傘を畳み下向きにして傘収納袋に収め、雨の時は雨傘を上向きにし、傘収納袋の上にかざして展開することにより手ぶらで傘を差すことができる。
【００１２】
本願発明に係るランドセル用雨傘収納袋は、市販されている通常のランドセルの側面に容易にかつ体裁よく固定することができるので、いつでも折り畳み傘を収納して携帯することができ、また、袋内の傘軸ホルダーに傘を固定して展開することにより手放しで傘を差すことができる。
本発明のランドセル用雨傘収納袋を使用することにより、学童は傘を持つために手を使うことが要らず、手を自由に使うことができるので、傘以外の携帯品を持つことができるほか、自由な手を使って危険をとっさに回避することができるようになる。
【図面の簡単な説明】
【００１３】
【図１】本発明の第１の実施例に係るランドセル用雨傘収納袋の蓋を開けた状態を示す図面である。
【図２】本実施例のランドセル用雨傘収納袋をランドセルに取り付けて使用した状態を示す斜視図である。
【図３】本実施例におけるランドセル用雨傘収納袋の袋固定具を説明する側面図である。
【図４】本実施例におけるランドセル用雨傘収納袋の傘軸ホルダーの一例を示す斜視図である。
【図５】本実施例におけるランドセル用雨傘収納袋を適用するランドセルの一例を示す斜視図である。
【図６】本発明の第２の実施例に係るランドセル用雨傘収納袋における雨傘収納時の状態について蓋を開けて示す斜視面である。
【図７】本実施例のランドセル用雨傘収納袋において雨傘を開いた状態について蓋を開けて示す図面である。
【図８】本実施例におけるランドセル用雨傘収納袋の傘軸ホルダーの一例を説明する側面図である。
【発明を実施するための形態】
【００１４】
以下、本発明に係るランドセル用雨傘収納袋について、実施例に基づき、図面を参照して詳しく説明する。
【実施例１】
【００１５】
図１は、本発明の第１の実施例に係るランドセル用雨傘収納袋の蓋を開けた状態を示す図面、図２は本実施例のランドセル用雨傘収納袋をランドセルに取り付けて使用する状態を示す斜視図である。また、図３は本実施例におけるランドセル用雨傘収納袋のランドセルに取り付けたところを蓋を開けた状態で示す一部断面付き側面図、図４は本実施例におけるランドセル用雨傘収納袋の傘軸ホルダーの一例を示す斜視図、図５は適用対象となるランドセルの一例を示す斜視図である。
【００１６】
図１に示すように、本実施例のランドセル用雨傘収納袋１００は、折り畳み型の雨傘４０を収納する袋本体１０と、袋本体をランドセル５０に固定する袋固定具２０と、雨傘４０の傘軸４１を直立した状態で固定する傘軸ホルダー３０で構成される。
【００１７】
普通のランドセルは、図５に示すように、脇に比較的硬い側皮５２を備え、後ろ側の物入れ袋を抑えるためのバンド５１が側皮５２を横断するように設けられている。バンド５２は普通２個の鋲で側皮５２に固定され、一方の鋲には袋などの紐を掛けてぶら下げるためのフックが固定されている。バンド５１の鋲間は緊張しているので、物を挟めばランドセル５０に密着固定することができる。
【００１８】
袋本体１０は、折り畳み型の雨傘４０を折りたたんだ状態で収納できるもので、雨傘４０が少々濡れていても外に水が漏れないように、防水性の高い外皮を使い、吸湿性が高い材料で内張されていることが好ましい。袋本体１０は、たとえば、袋の側稜３面にわたってエレメントを設けたファスナー１１を使って観音開きに開閉することができる。また、雨傘４０を出し入れすることができ、傘軸ホルダー３０に雨傘４０を着脱できるように、一部が開口する蓋を設けてもよい。蓋は、ボタンやホックあるいは面ファスナーなどで簡単に袋本体１０に止めることができる。
【００１９】
袋固定具２０は、袋本体１０に固定され、上端に設けられるフック２１をランドセル５０の側面に設けられたバンド５１あるいはランドセルの側皮５２に引っ掛け、下端部に固定される掛紐２２をランドセル５０の底にある突起金具５３に結んで袋本体１０をランドセル５０の側面に固定する機能を持つ。フック２１は、把持を確実にするため、袋固定具２０の本体方向に弾性力が働くようにすることが好ましい。掛紐２２は、適用するランドセル４０の形態に応じて長さを調整できるようにする。また、掛紐２２は、袋本体１０の裏側に設けた穴を通して端を袋の外に引き出せるようにしてもよい。
【００２０】
図２および図３に示すように、傘軸ホルダー３０は、たとえば袋固定具２０を介して袋本体１０に固定され、雨傘４０の傘軸４１を直立に固定してランドセル５０の上方で雨傘４０を展開できるように構成されている。
図４に例示するように、傘軸ホルダー３０は、たとえば、半割の筒３１のそれぞれにバネ３２を組み合わせたもので、バネに抗して筒３１を開き、傘軸４１を受け入れて、傘軸４１を挟んで閉じると、ばね力が筒３１の閉じる方向に働いて、傘軸４１を固定することができる。
市販の折り畳み式雨傘を使用するときは、柄の部分を外して等径の部分を挟むと、より確実に固定することができる。
【００２１】
本実施例のランドセル用雨傘収納袋１００は、袋固定具２０のフック２１をランドセル４０の側皮５２またはバンド５１に引っ掛けて、掛紐２２をランドセル５０の底に設けられた適宜の突起金具５３に掛けて絞めると、ランドセル５０の側部にしっかりと固定される。
雨傘４０は、使わないときには袋本体１０に収めてファスナー１１で閉じておけば、手に傘を持つことなく、いつでも携帯して必要な時に使える。
【００２２】
また、雨が降ってきたときには、ファスナー１１を開けて雨傘４０を取り出し、傘軸４１を傘軸ホルダー３０にセットして展開し、袋本体１０を閉じてランドセルを背負う。すると、ランドセルを背負った学童の頭上に開いた雨傘４０が児童とランドセルを覆って、雨に濡れることを防ぐことができる。
【００２３】
したがって、学童は雨傘を使うときにも傘で手がふさがることがなくより安全である。また雨傘を簡単に携行できるので、晴れの時にも予期しない降雨に準備しておくことができる。
なお、ランドセル用雨傘収納袋１００は、ランドセル５０に取り付けたときに、ランドセル５０の底に届かないような寸法にすると、ランドセル５０を床に置いたときにも傾かないで安定し、ランドセルの機能を損なうことがない。
【実施例２】
【００２４】
図６は本発明の第２の実施例に係るランドセル用雨傘収納袋における雨傘収納時の状態を示す一部断面側面図、図７は雨傘を開いた状態について蓋を開けて示す図面である。
また、図８は、本実施例におけるランドセル用雨傘収納袋の傘軸ホルダーの一例を説明する側面図である。
【００２５】
本実施例のランドセル用雨傘収納袋は、傘軸ホルダーを上下に反転できるように構成して、雨傘を下向きにして収納しておいて、雨が降ってきたら上向きに変えて展開できるようにしたもので、そのほかの構成は第１の実施例のものと共通する。そこで、図面を使った説明において、第１の実施例と共通する部分については、第１の実施例の説明に用いた符号を流用することにより、説明の重複を避け理解しやすくした。
【００２６】
図６に示すように、本実施例のランドセル用雨傘収納袋１００は、折り畳み式の雨傘４０を折り畳んだ状態のまま傘軸ホルダー３０で把持して、垂下した状態で収納することができる。
雨の時は、図７に示すように、傘軸ホルダー３０を反転して傘軸４１を上向きにして、傘軸ホルダー３０を固定し、ランドセル５０の上で雨傘４０を開く。
【００２７】
傘軸ホルダー３０は、図８に示すように、回転軸３３を備え、袋本体１０内で上下に反転することができる。回転軸３３は、袋固定具２０に軸支され、上下の２つの位置で止まるようになっている。
雨が止んで雨傘４０を納めるときは、適当に傘の水切りをして折り畳み、袋本体１０の蓋を開けて、折り畳んだ雨傘４０を垂下方向に回転させると、傘軸ホルダー３０が反転し、下向きに固定されるので、袋本体１０の蓋を閉めて終わる。
【００２８】
本実施例のランドセル用雨傘収納袋１００では、雨傘４０が傘軸ホルダー３０に把持されたままで装着作業の回数が少なくなるので、装着作業の手間が求められても問題とならない。このため、例えば図８に例示するような、受筒３４と受筒３４の内径に収まる押筒３５を備え、間に傘軸を置いて、押筒３５を押し込むことで傘軸を把持して、適宜なバンド３６で固定するという簡単で確実な構造を利用することができる。
また、ランドセル用雨傘収納袋１００は幅がより狭くなって、スマートになる。
【符号の説明】
【００２９】
１００  ランドセル用雨傘収納袋
１０  袋本体
１１  ファスナー
２０  袋固定具
２１  フック
２２  掛紐
３０  傘軸ホルダー
３１  筒
３２  バネ
３３  回転軸
３４  受筒
３５  押筒
３６  バンド
４０  雨傘
４１  傘軸
５０  ランドセル
５１  バンド
５２  側皮
５３  突起金具
【図１】
2018068387.tif 000003
【図２】
2018068387.tif 000004
【図３】
2018068387.tif 000005
【図４】
2018068387.tif 000006
【図５】
2018068387.tif 000007
【図６】
2018068387.tif 000008
【図７】
2018068387.tif 000009
【図８】
2018068387.tif 000010
【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
開閉できる蓋と折り畳んだ雨傘を収納する収納部を設けた収納袋と、該収納袋をランドセルの側面に取り付け取り外し可能に固定する袋固定具であって、前記収納袋の内面に垂直方向に展設される板材と、該板材の上端に前記収納袋の外側に下に向けて形成された舌部であってランドセルの側壁の上縁または側壁部に設けられる側帯に掛ける舌部と、前記板材の下端部に設けられた係止具であって前記収納袋の下端部をランドセルの底面の突起を使って固定する係止具とを備えた袋固定具と、雨傘の軸をランドセルの縦方向に立てた状態で固定する傘軸ホルダーとを備え、前記袋固定具が、前記収納袋をランドセルの縦方向に支持すると共に、前記傘軸ホルダーを縦方向に固定する機能を有することを特徴とする、ランドセル用雨傘収納袋。
【請求項２】
前記傘軸ホルダーは、前記収納袋の内面または前記袋固定具に縦方向に固定された筒体で、縦に半割りされて開閉し、傘軸を挟み締め込んで固定することを特徴とする請求項１に記載のランドセル用雨傘収納袋。
【請求項３】
さらに、上下反転できて上向きと下向きのいずれでも固定できる回転軸を設けて、該回転軸に前記傘軸ホルダーを取り付けることを特徴とする請求項１または２に記載のランドセル用雨傘収納袋。
【手続補正書】
【提出日】平成29年4月12日(2017.4.12)
【手続補正１】
【補正対象書類名】特許請求の範囲
【補正対象項目名】全文
【補正方法】変更
【補正の内容】
【特許請求の範囲】
【請求項１】
開閉できる蓋と折り畳んだ雨傘を収納する収納部を設けた収納袋と、該収納袋をランドセルの側面に取り付け取り外し可能に固定する袋固定具であって、前記収納袋の内面に垂直方向に展設される板材と、該板材の上端に前記収納袋の外側に下に向けて形成された舌部であってランドセルの側壁の上縁または側壁部に設けられる側帯に掛ける舌部と、前記板材の下端部に設けられた係止具であって前記収納袋の下端部をランドセルの底面の突起を使って固定する係止具とを備えた袋固定具と、雨傘の軸をランドセルの縦方向に立てた状態で固定する傘軸ホルダーとを備え、前記袋固定具が、前記収納袋をランドセルの縦方向に支持すると共に、前記傘軸ホルダーを固定する機能を有することを特徴とする、ランドセル用雨傘収納袋。
【請求項２】
前記傘軸ホルダーは、前記収納袋の内面または前記袋固定具に縦方向に固定された筒体で、縦に半割りされて開閉し、傘軸を挟み締め込んで固定することを特徴とする請求項１に記載のランドセル用雨傘収納袋。
【請求項３】
さらに、上下反転できて上向きと下向きのいずれでも固定できる回転軸を設けて、該回転軸に前記傘軸ホルダーを取り付けることを特徴とする請求項１または２に記載のランドセル用雨傘収納袋。